【手続補正書】
【提出日】平成17年12月1日(2005.12.1)
【手続補正１】
【補正対象書類名】特許請求の範囲
【補正対象項目名】全文
【補正方法】変更
【補正の内容】
【特許請求の範囲】
【請求項１】
地図データ及び施設データを記憶する記憶媒体と、
車両の現在位置を検出する車両位置検出部と、
表示装置と、
車両外部のデータ配信センタと通信接続する通信装置と、
前記車両位置検出部で検出した車両位置に基づいて前記記憶媒体に記憶されている地図データを読み出し前記表示装置に地図を表示するとともに、前記通信装置を介して前記データ配信センタから地図データ及び施設データを取得して前記記憶媒体に記憶されている地図データ及び施設データを更新する制御部とを有し、
前記制御部は、前記データ配信センタから取得した施設データに新規施設の情報がある場合、車両が前記新規施設に近づいたときに前記表示装置に表示された地図上に前記新規施設があることを示す画像を表示することを特徴とする車載用ナビゲーション装置。
【請求項２】
請求項１において、
前記制御部は、任意の地点を中心とする所定範囲内の地域に対応する地図データ及び施設データを前記通信装置を介して前記データ配信センターから取得することを特徴とする車載用ナビゲーション装置。
【請求項３】
請求項１乃至２において、
前記制御部は、前記データ配信センタから取得した施設データに含まれる前記新規施設の情報を前記記憶媒体の一時記憶領域に保存し、一定期間経過後に前記一時記憶領域に保存した前記新規施設の情報を削除することを特徴とする車載用ナビゲーション装置。
【請求項４】
請求項１乃至３において、
前記新規施設があることを示す画像には、少なくとも前記新規施設の開店日、前記新規施設の業種を示す画像、前記車両から前記新規施設までの経路を示す簡略な矢印画像、または前記車両から前記新規施設までの距離のうち何れか一つが表示されることを特徴とする車載用ナビゲーション装置。
【請求項５】
請求項１乃至４において、
前記制御部は、前記表示装置に前記新規施設があることを示す画像を表示するとともに、音声により通知することを特徴とする車載用ナビゲーション装置。
【請求項６】
請求項１乃至５において、
前記制御部は、前記新規施設があることを示す画像を前記表示装置に表示してから車両が所定距離以上走行したとき、または前記施設があることを示す画像を前記表示装置に表示してから所定時間経過したとき、前記新規施設があることを示す画像を前記表示装置から削除することを特徴とする車載用ナビゲーション装置。
【請求項７】
請求項１乃至６において、
前記制御部は、前記データ配信センタから取得した施設データのうち、予め登録された業種の施設において、前記新規施設があることを示す画像を表示することを特徴とする車載用ナビゲーション装置。
【請求項８】
請求項１乃至７において、
前記制御部は、前記車両の移動に伴って前記新規施設があることを示す画像を前記表示装置に複数回表示することを特徴とする車載用ナビゲーション装置。
【請求項９】
請求項1乃至８において、
前記制御部は、前記車両の移動に伴って前記車両と前記新規施設との距離が所定距離になる毎に前記新規施設があることを示す画像を表示することを特徴とする車載用ナビゲーション装置。
【請求項１０】
請求項１乃至９において、
前記制御部は、前記新規施設までの誘導経路を探索して、誘導経路に沿って車両を前記新規施設まで案内することを特徴とする車載用ナビゲーション装置。
【請求項１１】
車載用ナビゲーション装置は、
地図データ及び施設データを記憶する記憶媒体と、
車両の現在位置を検出する車両位置検出部と、
表示装置と、
車両外部のデータ配信センタと通信接続する通信装置と、
前記車両位置検出部で検出した車両位置に基づいて前記記憶媒体に記憶されている地図データを読み出し前記表示装置に地図を表示するとともに、前記通信装置を介して前記データ配信センタから地図データ及び施設データを取得して前記記憶媒体に記憶されている地図データ及び施設データを更新する制御部とを有し、
前記データ配信センタは、
全国各地の最新の地図データが記憶されている地図データベースと、
全国各地の最新の施設データが記憶されている施設データベースと、
前記車両用ナビゲーション装置から地図データ及び施設データのバージョン情報を受信すると、前記車両用ナビゲーション装置から受信した地図データ及び施設データのバージョン情報と、前記地図データベース及び施設データベース内の対応する地図データ及び施設データのバージョン情報を比較するバージョン情報比較部と、
前記バージョン情報比較部の比較結果に基づいて、より新しいバージョン情報の地図データ及び施設データを前記車両用ナビゲーション装置へ対し送信する送信部を有することを特徴とするナビゲーションシステム。
【請求項１２】
請求項１１において、
前記データ配信センタの前記地図データベース及び前記施設データベースに記憶されている地図データ及び施設データは、縮尺に応じた緯度幅及び経度幅のブロック毎に分割されており、各ブロック毎の地図データ及び施設データには各々バージョン情報が付与されていることを特徴とするナビゲーションシステム。
【請求項１３】
請求項１１乃至１２において、
前記車両用ナビゲーション装置の前記制御部は、前記データ配信センタから取得した施設データに新規施設の情報がある場合、車両が前記新規施設に近づいたときに前記表示装置に表示された地図上に前記新規施設があることを示す画像を表示することを特徴とするナビゲーションシステム。
【請求項１４】
請求項１３において、
前記新規施設があることを示す画像には、少なくとも前記新規施設の開店日、前記新規施設の業種を示す画像、前記車両から前記新規施設までの経路を示す簡略な矢印画像、または前記車両から前記新規施設までの距離のうち何れか一つが表示されることを特徴とするナビゲーションシステム。
【請求項１５】
請求項１３乃至１４において、
前記車両用ナビゲーション装置は、前記新規施設があることを示す画像を指定する指定部をさらに有し、
前記制御部は、前記指定部により指定された前記新規施設の詳細情報を前記表示装置に表示することを特徴とするナビゲーションシステム。
【請求項１６】
請求項１３乃至１５において、
前記車両用ナビゲーション装置は、前記新規施設があることを示す画像を指定する指定部をさらに有し、
前記制御部は、前記指定部により指定された前記新規施設までの誘導経路を探索して、誘導経路に沿って車両を前記新規施設まで案内することを特徴とするナビゲーションシステム。
【請求項１７】
車両位置に基づく地図画像を表示するとともに、車両外部データ配信センタかと通信し、地図データ及び施設データを取得する車載用ナビゲーション装置において、
前記データ配信センタから取得した施設データに新規施設の情報がある場合、車両が前記新規施設に近づいたときに、前記地図画像上に前記新規施設があることを示す画像を表示することを特徴とする車載用ナビゲーション装置の新規施設案内方法。
【請求項１８】
請求項１７において、
前記新規施設があることを示す画像には、少なくとも前記新規施設の開店日、前記新規施設の業種を示す画像、前記車両から前記新規施設までの経路を示す簡略な矢印画像、または前記車両から前記新規施設までの距離のうち何れか一つが表示されることを特徴とする車載用ナビゲーション装置の新規施設案内方法。
【請求項１９】
請求項１７乃至１８において、
前記車両の移動に伴って前記新規施設があることを示す画像を複数回表示することを特徴とする車載用ナビゲーション装置の新規施設案内方法。
【請求項２０】
請求項１７乃至１９において、
ユーザにより前記新規施設があることを示す画像を指定されたとき、前記車両から前記新規施設までの誘導経路を探索して、誘導経路に沿って車両を前記新規施設まで案内することを特徴とする車載用ナビゲーション装置の新規施設案内方法。